(57)【要約】【課題】発泡断熱材によって覆われた貯湯タンク外郭に複数貼り付けた温度センサのメンテナンス作業を容易にする貯湯式給湯装置を提供する。【解決手段】加熱手段により加熱した湯水を貯湯する貯湯タンク７と、貯湯タンク７を収納する外装体１と、貯湯タンク７の外郭に備え付けられ、貯湯タンク７内の湯温を検知する温度センサ２８と、貯湯タンク７外郭と外装体１との間に貯湯タンク７を囲繞する発泡断熱材２５とを備えた貯湯式給湯装置において、発泡断熱材２５の温度センサ２８設置箇所近傍に切り取り用溝２７を設ける事により、温度センサ２８のメンテナンス作業を容易にした。【選択図】  図４
2010014385.tif 000002
【特許請求の範囲】
【請求項１】
加熱手段により加熱した湯水を貯湯する貯湯タンクと、前記貯湯タンクを収納した外装体と、前記貯湯タンクの外郭に備え付けられ、前記貯湯タンク内の湯温を検知する温度センサと、前記貯湯タンク外郭と前記外装体との間に前記貯湯タンクを囲繞する発泡断熱材とを備えた貯湯式給湯装置に於いて、前記発泡断熱材には、前記温度センサ設置箇所を囲うように切り取り用溝を設けたことを特徴とする貯湯式給湯装置。
【請求項２】
前記切り取り用溝は、形状を四角にする事を特徴とする前記請求項１記載の貯湯式給湯装置。
【請求項３】
前記切り取り用溝は、前記発泡断熱材の外装体側と貯湯タンク側に設ける事を特徴とする請求項１及び２記載の貯湯式給湯装置。
【発明の詳細な説明】
【技術分野】
【０００１】
この発明は、沸き上げた湯水を貯湯タンクに貯湯する貯湯式給湯装置、特に、その断熱構造に関するものである。
【背景技術】
【０００２】
従来よりこの種のものでは、貯湯タンクを収納する外装体と貯湯タンクとの間を発泡断熱材で覆ったものがあった。この形態の貯湯式給湯装置では、貯湯タンクのほぼ全面を覆い保温・断熱を行う、耐熱性発泡ポリスチレンからなる発泡断熱材によって放熱での熱損失を防いでいた。（例えば、特許文献１参照）
【０００３】
また、貯湯タンク内の温度を測るため、貯湯タンク高さ方向の複数箇所にわたって温度センサを貼り付け、その上から貯湯タンクの外周面を発泡断熱材で包んで貯湯タンク内の温度を測り、温度センサとリード線によって繋がっている各種機器の制御をおこなう給湯制御部によって管理されている。また、温度センサが何らかの原因で故障し取り替える等のメンテナンス作業を行う際は、温度センサ周辺の発泡断熱材をカッター等で切り取って温度センサを取り出していた。
【特許文献１】特開２００４−２５１５２１号公報
【発明の開示】
【発明が解決しようとする課題】
【０００４】
しかし、この従来のものでは、故障等を起こした温度センサの正確な場所は発泡断熱材で覆われているため判断が難しく、作業者が自己の感覚で温度センサ周辺の発泡断熱材を切り取っていたため、余分に発泡断熱材を切り取る等の無駄を生じていた。
【０００５】
また、給湯制御部と温度センサを繋ぐリード線を、発泡断熱材を切り取る際に誤って傷つけてしまう場合があった。
【課題を解決するための手段】
【０００６】
そこで本発明は前記課題を解決するため、加熱手段により加熱した湯水を貯湯する貯湯タンクと、前記貯湯タンクを収納した外装体と、前記貯湯タンクの外郭に備え付けられ、前記貯湯タンク内の湯温を検知する温度センサと、前記貯湯タンク外郭と前記外装体との間に前記貯湯タンクを囲繞する発泡断熱材とを備えた貯湯式給湯装置に於いて、前記発泡断熱材には、前記温度センサ設置箇所を囲うように切り取り用溝を設けたものである。
【０００７】
前記切り取り用溝は、形状を四角にする。また、前記切り取り用溝は、前記発泡断熱材の外装体側と貯湯タンク側に設ける。
【発明の効果】
【０００８】
この発明の請求項１によれば、温度センサが何らかの原因で機能しなくなりメンテナンス作業をおこなう際、貯湯タンクを覆う発泡断熱材の温度センサ近傍に切り取り用溝があることで正確に発泡断熱材を切り取る事ができるので、無駄な切り取り作業がなくなり、メンテナンス作業の時間が短縮されて効率のよい作業が行われるのであり、しかも予め切り取られておらず溝のみであるから保温性能が低下することもない。
【０００９】
また、請求項２によって、切り取り用溝の形状を切り取り作業が容易な四角としたので、直線のみでなり極めて切り取りやすく作業時間を少なくてすむものである。更に請求項３によれば、発泡断熱材の外装体側の切り取り用溝と対称な位置にある貯湯タンク側の同形状の切り取り用溝によって、給湯タンク側のリード線と発泡断熱材との間に、切り取り用溝によって隙間ができることで、リード線を傷つけることなく切り取る事が可能で、温度センサの取り出し作業が安心して容易におこなえるようになった。
【発明を実施するための最良の形態】
【００１０】
次にこの発明の一実施形態を図面に基づいて説明する。
１は貯湯タンクユニットを構成する外装体、２はヒートポンプユニットよりなる加熱手段、３は給湯栓、４はリモートコントローラ、５は浴槽、６は電源である。
【００１１】
前記外装ケース１内には、湯水を貯湯する貯湯タンク７と、貯湯タンク７の上部に接続された出湯管８と、貯湯タンク７の下部に接続された給水管９と、出湯管８からの高温水と給水管９から分岐されたバイパス管１０からの低温水とを混合するミキシング弁１１と、ミキシング弁１１の下流に接続された給湯管１２と、給湯管１２に設けられた給湯温度センサ１３と、給湯管１１に設けられた給湯流量センサ１４と、給水管９に設けられた給水温度センサ１５と、給湯管１２から分岐され浴槽５に接続された湯張り管１６と、この湯張り管１６の開閉を行う湯張り弁１７と、湯張り管１６を流れる流量を積算する湯張り流量センサ１８と、出湯管８から分岐して接続された貯湯タンク７の過圧を逃す過圧逃し弁１９と、給水管９に設けられた給水圧を減圧する減圧弁２０と、この外装ケース１内の各種機器の制御を行うマイクロコンピュータを主に構成される給湯制御部２１と、貯湯タンク７と加熱手段２とを接続して湯水を循環させるヒーポン往き管２２とヒーポン戻り管２３からなる加熱循環回路２４とを備えて構成されている。
【００１２】
２５は貯湯タンク７の外郭のほぼ全面を覆い保温・断熱を行う、耐熱性発泡ポリスチレンからなる発泡断熱材である。前記貯湯タンク７の上面および底面は略半球形に形成され、この上面および底面に沿って前記発泡断熱材２５で形成される蓋状発泡材２６が設けられている。
【００１３】
２７は前記発泡断熱材２５に覆われ前記貯湯タンク７の高さ方向の各測定箇所に貼り付けられた５個の温度センサ２８の各設置箇所を囲うように形成された切り取り溝で、この切り取り用溝２７は温度センサ２８の修理、点検等のメンテナンス時に発泡断熱材２５を切り取りやすいように形成したものであり、前記発泡断熱材２５に形状を一辺の長さを５ｃｍ〜１０ｃｍの四角とするように外装体１側に設けると共に、その対称位置である前記貯湯タンク７側にも同形状に形成されている。また、前記温度センサ２８は前記切り取り用溝２７に囲まれた枠内中心部付近の貯湯タンク７表面に貼り付けられているものである。
【００１４】
前記加熱手段２は、二酸化炭素冷媒を圧縮するコンプレッサー３０と、凝縮器としての冷媒−水熱交換器３１と、減圧器３２と、蒸発器としての空気熱交換器３３よりなるヒートポンプ回路３４と、空気熱交換器３３に送風する送風機３５と、加熱循環回路２４途中に設けられた能力可変の循環ポンプ３６と、加熱循環回路２４の冷媒−水熱交換器３１入口側に設けられ、冷媒−水熱交換器３１に流入する湯水の温度を検出する熱交入口温度センサ３７と、加熱循環回路２４の冷媒−水熱交換器３１出口側に設けられ、冷媒−水熱交換器３１から流出する湯水の温度を検出する熱交出口温度センサ３８と、この加熱手段２の制御を行うマイクロコンピュータを主に構成される加熱制御部３９とを備えて構成されている。
【００１５】
前記リモートコントローラ４には給湯設定温度を設定する温度設定スイッチ４０、浴槽５への湯張りを指示する湯張りスイッチ４１、湯張り量を設定する湯張り量設定スイッチ４２、及び給湯可能な残時間を表示させる残時間表示スイッチ４３とを有した操作部４４と、ドットマトリクス型の蛍光表示管よりなる表示部４５と、これら操作部４４及び表示部４５を制御すると共に、前記給湯制御部２１と通信を行うマイクロコンピュータを主に構成されたリモコン制御部４６を備えており、通常運転時は前記表示部４５に操作部４４で設定された給湯設定温度や時刻情報および貯湯温度センサ２８で検知する残り貯湯量等が表示されるものである。なお、前記表示部４５はドットマトリクス型の液晶表示部としても良い。
【００１６】
次に、温度センサ２８が故障して、この温度センサ２８を交換する際のメンテナンス作業について説明すると、貯湯タンク７の外郭を覆う発泡断熱材２５をカッター等で切り取り用溝２７に沿って四角に切断し、リード線２９と温度センサ２８をハンダゴテで取り外し、温度センサ２８を取り出す。そして新しい温度センサ２８とリード線２９をハンダ付けした後、この温度センサ２８を貯湯タンク７の元の箇所に貼り付け、切断した発泡断熱材２５を粘着手段により付け直してメンテナンス作業が終了する。
これによって、切り取り作業の際、目印となる切り取り用溝２７があることで切断箇所を正確に把握でき、切り取り用溝２７の形状を直線のみから成る四角にする事で切り取りやすいことから切断作業の効率を高め、温度センサ２８に繋がっているリード線２９を誤って傷つける心配もなく、極めて容易にメンテナンス作業がおこなえる。
【図面の簡単な説明】
【００１７】
【図１】この発明の一実施形態を示す貯湯式給湯装置の概略構成図。
【図２】同要部の縦断面図。
【図３】同貯湯タンクと断熱材の正面図。
【図４】同貯湯タンクの図３におけるＡ−Ａ線断面図
【符号の説明】
【００１８】
１  外装体
２  加熱手段
７  貯湯タンク
２５  発泡断熱材
２７  切り取り用溝
２８  温度センサ
２９  リード線
【図１】
2010014385.tif 000003
【図２】
2010014385.tif 000004
【図３】
2010014385.tif 000005
【図４】
2010014385.tif 000006